(57)【要約】【課題】傷や汚れなどによって一方の記録層に記録されたデータの読み取り状態が悪化した場合に、自動的に、他方の記録層に記録されたデータの読み取りに移行して、続きを再生する。【解決手段】挿入されたディスクが複数の記録層を有するハイブリッドディスク１０であるかを判定するディスク判定手段２８１，２８４，２８５と、ハイブリッドディスク１０であると判定された場合に、一方の記録層１２に記録されたデータを読み取るデータ読み取り手段２１，２２，２７，２９と、記録層１２でのデータ読み取り状態の良否を判定する読み取り状態判定手段２８３と、データ読み取り状態が悪化していると判定された場合に、データ読み取り手段２１，２２，２７，２９を制御して他方の記録層１４に記録されたデータを読み取らせる切替え手段２８２，２８４，２８５，２８６，２８７とを備えた。【選択図】図２
2011238302.tif 000002
【特許請求の範囲】
【請求項１】
挿入されたディスクが複数の記録層を有するハイブリッドディスクであるかを判定するディスク判定手段と、
前記ディスク判定手段によりハイブリッドディスクであると判定された場合に、当該ハイブリッドディスクの一方の記録層に記録されたデータを読み取るデータ読み取り手段と、
前記記録層でのデータ読み取り状態の良否を判定する読み取り状態判定手段と、
前記読み取り状態判定手段によりデータ読み取り状態が悪化していると判定された場合に、前記データ読み取り手段を制御して前記ハイブリッドディスクの他方の記録層に記録されたデータを読み取らせる切替え手段と
を備えた光ディスク装置。
【請求項２】
読み取り状態判定手段により一方の記録層でのデータ読み取り状態が悪化していると判定された場合に、当該一方の記録層でのデータ読み取り状態の悪化範囲を特定する悪化範囲特定手段と、
データ読み取り手段により他方の記録層で読み取られたデータ範囲が、前記悪化範囲特定手段により特定された悪化範囲内であるかを判定する読み取り範囲判定手段とをさらに備え、
切替え手段は、前記読み取り範囲判定手段により他方の記録層で読み取られたデータ範囲が前記悪化範囲を越えていると判定された場合に、前記データ読み取り手段を制御して前記一方の記録層でのデータの読み取りを再開させる
ことを特徴とする請求項１記載の光ディスク装置。
【請求項３】
ハイブリッドディスクの各記録層には同一のデータが記録され、
切替え手段は、読み取り状態判定手段により一方の記録層でのデータ読み取り状態が悪化していると判定された場合に、データ読み取り手段を制御して他方の記録層に記録されたデータのうち、前記一方の記録層でデータ読み取り状態が悪化したと判定された際のデータに対応するデータから読み取りを開始させる
ことを特徴とする請求項１または請求項２記載の光ディスク装置。
【請求項４】
ハイブリッドディスクの各記録層に記録されたデータは、同一再生時間の記録位置がずれて記録されている
ことを特徴とする請求項３記載の光ディスク装置。
【請求項５】
ハイブリッドディスクの各記録層には異なるデータが記録され、
切替え手段は、読み取り状態判定手段により一方の記録層でのデータ読み取り状態が悪化していると判定された場合に、データ読み取り手段を制御して他方の記録層に記録された先頭のデータから読み取りを開始させる
ことを特徴とする請求項１または請求項２記載の光ディスク装置。
【請求項６】
読み取り状態判定手段により一方の記録層でのデータ読み取り状態が悪化していると判定された場合に、他方の記録層でのデータの読み取りに移行するかをユーザに確認するユーザ確認手段をさらに備え、
切替え手段は、前記読み取り状態判定手段により一方の記録層でのデータ読み取り状態が悪化していると判定され、前記ユーザ確認手段により他方の記録層への移行が許可された場合には、データ読み取り手段を制御して当該他方の記録層でのデータの読み取りを行わせる
ことを特徴とする請求項１から請求項５のうちいずれか１項記載の光ディスク装置。
【発明の詳細な説明】
【技術分野】
【０００１】
この発明は、例えばＢＤ（Ｂｌｕ−ｒａｙ  Ｄｉｓｋ）とＤＶＤ（Ｄｉｇｉｔａｌ  Ｖｅｒｓａｔｉｌｅ  Ｄｉｓｋ）の両データフォーマットの記録層を有するハイブリッドディスクを再生する光ディスク装置に関するものである。
【背景技術】
【０００２】
現在、映像対応の光ディスクとしてはＢＤとＤＶＤの２種類が存在している。また、これらの光ディスクに対応してＢＤ用、ＤＶＤ用の光ディスク装置が存在している。このＤＶＤ用光ディスク装置ではＤＶＤの再生が可能であり、ＢＤ用光ディスク装置ではＢＤおよびＤＶＤの再生が可能となっている。
【０００３】
また、光ディスクとして、ＢＤとＤＶＤの両データフォーマットの記録層（ＢＤ層およびＤＶＤ層）を有し、同一コンテンツが記録されたＢＤ／ＤＶＤハイブリッドディスクも登場している。このＢＤ／ＤＶＤハイブリッドディスクでは、ユーザが所持している光ディスク装置がＢＤ用であるかＤＶＤ用であるかを意識することなくコンテンツを楽しむことができる。すなわち、ＢＤ用光ディスク装置を用いた場合にはＢＤ層に記録されたデータの読み取りを行い、ＤＶＤ用光ディスク装置を用いた場合にはＤＶＤ層に記録されたデータの読み取りを行うことによって、コンテンツを再生することができる。
【先行技術文献】
【特許文献】
【０００４】
【特許文献１】特開２００７−０１２１７５号公報
【特許文献２】特開２００８−２７６８４７号公報
【発明の概要】
【発明が解決しようとする課題】
【０００５】
従来のＢＤ用光ディスク装置では、ＢＤ／ＤＶＤハイブリッドディスクを再生する場合には、ＢＤ層に記録されたデータの読み取りを行い、ＤＶＤ層に記録されたデータの読み取りは行わない。そのため、ＢＤ／ＤＶＤハイブリッドディスクに傷や汚れが付き、ＢＤ層に記録されたデータの読み取り状態が悪化した場合には、絵飛び／音飛びが発生したり、再生不能となるという課題がある。
【０００６】
また、ハイブリッドディスクを再生する光ディスク装置において、ハイブリッドディスクに記録されたコマンドあるいはユーザによる操作によって、データの読み取りを行う記録層を移行可能に構成されたものもある（例えば特許文献１，２参照）。しかしながら、この場合においても、一方の記録層の読み取り状態が悪化した場合に、自動的に、データの読み取りを行う記録層を他方の記録層に移行させることはできず、絵飛び／音飛びが発生したり、再生不能となるという課題がある。
【０００７】
この発明は、上記のような課題を解決するためになされたもので、傷や汚れなどによって一方の記録層に記録されたデータの読み取り状態が悪化した場合に、自動的に、他方の記録層に記録されたデータの読み取りに移行して、続きを再生することができる光ディスク装置を提供することを目的としている。
【課題を解決するための手段】
【０００８】
この発明に係る光ディスク装置は、挿入されたディスクが複数の記録層を有するハイブリッドディスクであるかを判定するディスク判定手段と、ディスク判定手段によりハイブリッドディスクであると判定された場合に、当該ハイブリッドディスクの一方の記録層に記録されたデータを読み取るデータ読み取り手段と、記録層でのデータ読み取り状態の良否を判定する読み取り状態判定手段と、読み取り状態判定手段によりデータ読み取り状態が悪化していると判定された場合に、データ読み取り手段を制御してハイブリッドディスクの他方の記録層に記録されたデータを読み取らせる切替え手段とを備えたものである。
【発明の効果】
【０００９】
この発明によれば、上記のように構成したので、傷や汚れなどによって一方の記録層に記録されたデータの読み取り状態が悪化した場合に、自動的に、他方の記録層に記録されたデータの読み取りに移行することによって、続きを再生することができる。
【図面の簡単な説明】
【００１０】
【図１】この発明の実施の形態１に係るＢＤ／ＤＶＤハイブリッドディスクの構成を示す断面図である。
【図２】この発明の実施の形態１に係る光ディスク装置の構成を示す図である。
【図３】この発明の実施の形態１に係る光ディスク装置の動作を示すフローチャートである。
【発明を実施するための形態】
【００１１】
以下、この発明の実施の形態について図面を参照しながら詳細に説明する。
実施の形態１．
まず、ＢＤ／ＤＶＤハイブリッドディスク１０の構成について説明する。
ＢＤ／ＤＶＤハイブリッドディスク１０は、図１に示すように、基板１１、ＢＤ層１２、基板１３、ＤＶＤ層１４、基板１５および印刷層１６を順に積層することにより構成される。
【００１２】
ＢＤ層１２は、螺旋状にトラックが形成され、既存のＢＤデータフォーマットに従って、データがディスク内周から記録されたものである。このＢＤ層１２に記録されたデータには、リードイン情報およびコンテンツ（ニュース、映画、テレビ番組など）が含まれている。また、ＢＤ層１２に記録されたリードイン情報には、ＤＶＤ層１４が存在することを示す情報が含まれている。
このＢＤ層１２に記録されたデータは、後述する半導体レーザ２１１により波長４０５ｎｍ程度の青色レーザ光が基板１１側から入射され、その反射波が後述する光検出器２１５により検出されることによって読み取られる。
【００１３】
ＤＶＤ層１４は、螺旋状にトラックが形成され、既存のＤＶＤデータフォーマットに従って、データがディスク外周から記録されたものである。このＤＶＤ層１４に記録されたデータには、リードイン情報およびＢＤ層１２と同一のコンテンツが含まれている。また、ＤＶＤ層１４に記録されたリードイン情報には、ＢＤ層１２が存在することを示す情報は含まれていない。
このＤＶＤ層１４に記録されたデータは、半導体レーザ２１１により波長６５５ｎｍ程度の赤色レーザ光が基板１１側から入射され、その反射波が光検出器２１５により検出されることによって読み取られる。
【００１４】
なお、ＢＤ層１２およびＤＶＤ層１４に形成されたトラックは、ＢＤ／ＤＶＤハイブリッドディスク１０が記録可能タイプの場合には溝構造に形成され、再生専用タイプの場合にはピット構造に形成される。
【００１５】
次に、上記のように構成されたＢＤ／ＤＶＤハイブリッドディスク１０や通常のディスク（ＢＤ，ＤＶＤ）を再生する光ディスク装置２０の構成について説明する。なお、図２には、光ディスク装置２０の再生系に関するもののみを示している。
光ディスク装置２０は、図２に示すように、光ピックアップ２１、信号生成回路２２、サーボ回路２３、スピンドルモータ２４、スレッドモータ２５、レーザ駆動回路２６、復調回路２７、コントローラ２８およびＡＶ処理回路２９から構成される。
【００１６】
光ピックアップ２１は、ターンテーブル３０に載置されたディスクに対してレーザ光を出射し、その反射光を検出することによって、ディスクに記録されたデータを示す光信号を読み取るものである。この光ピックアップ２１は、半導体レーザ２１１、光学系２１２、対物レンズ２１３、対物レンズアクチュエータ２１４および光検出器２１５から構成される。
【００１７】
半導体レーザ２１１は、レーザ駆動回路２６によるレーザ駆動信号に従い、波長４０５ｎｍ程度の青色レーザ光または波長６５５ｎｍ程度の赤色レーザ光を光学系２１２および対物レンズ２１３を介してディスクに出射するものである。
光学系２１２は、半導体レーザ２１１から出射される各レーザ光を対物レンズ２１３に導くとともにディスクからの反射光を光検出器２１５に導くものである。
【００１８】
対物レンズ２１３は、半導体レーザ２１１から出射され光学系２１２により導かれたレーザ光をディスク上に収束するものである。
対物レンズアクチュエータ２１４は、サーボ回路２３によるフォーカスサーボ信号およびトラッキングサーボ信号に従い、対物レンズ２１３をフォーカス方向およびトラッキング方向に移動させるものである。
【００１９】
光検出器２１５は、半導体レーザ２１１によるレーザ光の出射に対するディスクからの反射光を光学系２１２を介して受光することによって、ディスクに記録されたデータを示す光信号を読み取るものである。この光検出器２１５により読み取られた光信号は信号生成回路２２に出力される。
【００２０】
信号生成回路２２は、光検出器２１５により読み取られた光信号に対して演算処理を行うことによって、各部を制御するための各種信号（ＲＦ信号、フォーカスエラー信号およびトラッキングエラー信号など）を生成するものである。この信号生成回路２２により生成されたＲＦ信号は復調回路２７に出力され、フォーカスエラー信号およびトラッキングエラー信号はサーボ回路２３に出力される。また、コントローラ２８の後述する信号検出部２８１がディスクの種別を判定するディスク判定処理を行う場合に、このフォーカスエラー信号が信号検出部２８１にも出力される。
【００２１】
サーボ回路２３は、信号生成回路２２により生成されたフォーカスエラー信号およびトラッキングエラー信号、またはコントローラ２８の後述するサーボ指示部２８４により設定されたサーボ設定に基づいて、対物レンズアクチュエータ２１４を制御するためのフォーカスサーボ信号およびトラッキングサーボ信号を生成するものである。このサーボ回路２３により生成されたフォーカスサーボ信号およびトラッキングサーボ信号は対物レンズアクチュエータ２１４に出力される。
また、サーボ回路２３は、スピンドルモータ２４およびスレッドモータ２５を制御するためのモータサーボ信号を生成する。このサーボ回路２３により生成されたモータサーボ信号はスピンドルモータ２４およびスレッドモータ２５に出力される。
【００２２】
スピンドルモータ２４は、サーボ回路２３により生成されたモータサーボ信号に基づいて、ターンテーブル３０に載置されたディスクを回転させるものである。
スレッドモータ２５は、サーボ回路２３により生成されたモータサーボ信号に基づいて、光ピックアップ２１をディスク内周から外周に移動させるものである。
【００２３】
レーザ駆動回路２６は、コントローラ２８の後述するレーザ切替え指示部２８５によるレーザ切替え信号に従い、半導体レーザ２１１により発光されるレーザ光を切り替えるためのレーザ駆動信号を生成するものである。このレーザ駆動回路２６により生成されたレーザ駆動信号は半導体レーザ２１１に出力される。
【００２４】
復調回路２７は、信号生成回路２２により生成されたＲＦ信号をデコードして再生データを生成するものである。また復調回路２７は、ＲＦ信号をデコードすることによって、リードイン情報およびデコードを行っているデータの記録位置情報などを含むサブ情報を生成する。この復調回路２７は、ＢＤデータフォーマットに従ってデコードを行うＢＤデコーダ２７１と、ＤＶＤデータフォーマットに従ってデコードを行うＤＶＤデコーダ２７２とを備えている。なお、何れのデコーダを用いるかは、コントローラ２８の後述するデコード切替え指示部２８２によるデコード切替え信号に従い設定される。また、各デコーダ２７１，２７２は、コントローラ２８の後述するサブ情報処理部２８６により特定されたディスクの再生開始箇所からデコードを行う。この復調回路２７により生成された再生データはＡＶ処理回路２９に出力され、サブ情報はコントローラ２８の後述するサブ情報処理部２８６に出力される。
また、復調回路２７は、ＲＦ信号のデコードを実施しているデコーダにより正常に再生データを生成することができているかを示すデコードエラー情報をコントローラ２８の後述する読み取り状態判定部２８３に出力する。
【００２５】
コントローラ２８は、内蔵メモリに各種データを格納するとともに、予め設定されたプログラムに従って各部を制御するものである。このコントローラ２８は、信号検出部２８１、デコード切替え指示部２８２、読み取り状態判定部２８３、サーボ指示部２８４、レーザ切替え指示部２８５、サブ情報処理部２８６およびショックガードメモリ操作指示部２８７から構成される。
【００２６】
信号検出部２８１は、信号生成回路２２により生成されたフォーカスエラー信号の波形に基づいて、ターンテーブル３０に載置されたディスクがＢＤ／ＤＶＤハイブリッドディスク１０であるか通常のディスクであるかを判定するものである。この信号検出部２８１によるディスク判定結果を示す情報はデコード切替え指示部２８２、サーボ指示部２８４およびレーザ切替え指示部２８５に出力される。
【００２７】
デコード切替え指示部２８２は、信号検出部２８１によるディスク判定結果または読み取り状態判定部２８３によるデータの読み取り状態の良否を示す読み取り状態判定結果に基づいて、復調回路２７で用いるデコーダを選択してデコードを実施させるものである。このデコード切替え指示部２８２により選択されたデコーダを示すデコーダ切替え信号はＢＤデコーダ２７１およびＤＶＤデコーダ２７２に出力される。
【００２８】
読み取り状態判定部２８３は、復調回路２７によるデコードエラー情報に基づいて、データの読み取り状態が良好であるか否かを判定するものである。この読み取り状態判定部２８３による読み取り状態判定結果を示す情報はデコード切替え指示部２８２、サーボ指示部２８４、レーザ切替え指示部２８５、サブ情報処理部２８６およびショックガードメモリ操作指示部２８７に出力される。
【００２９】
サーボ指示部２８４は、信号検出部２８１によるディスク判定結果または読み取り状態判定部２８３による読み取り状態判定結果に基づいて、データの読み取りを行う記録層に応じて、サーボ回路２３を制御するためのサーボ設定を行うものである。このサーボ指示部２８４によるサーボ設定を示す情報はサーボ回路２３に出力される。
【００３０】
レーザ切替え指示部２８５は、信号検出部２８１によるディスク判定結果または読み取り状態判定部２８３による読み取り状態判定結果に基づいて、データの読み取りを行う記録層に応じて、レーザ駆動回路２６を制御するためのレーザ切替え信号を生成するものである。このレーザ切替え指示部２８５によるレーザ切替え信号はレーザ駆動回路２６に出力される。
【００３１】
サブ情報処理部２８６は、復調回路２７により生成されたサブ情報を処理するものである。このサブ情報処理部２８６は、サブ情報内のリードイン情報を解析することによって、ディスクの再生開始箇所を特定する。また、サブ情報処理部２８６は、読み取り状態判定部２８３によりデータの読み取り状態が悪化したと判断された場合に、読み取り状態の悪化範囲を示すデータの記録位置およびその再生時間を記憶する。このサブ情報処理部２８６によるサブ情報の処理結果を示す情報はショックガードメモリ操作指示部２８７または復調回路２７の各デコーダ２７１，２７２に出力される。
【００３２】
ショックガードメモリ操作指示部２８７は、読み取り状態判定部２８３による読み取り状態判定結果およびサブ情報処理部２８６によるサブ情報に基づいて、ＡＶ処理回路２９の後述するショックガードメモリ２９１に復調回路２７により生成された再生データを蓄積させるための操作制御信号を生成するものである。このショックガードメモリ操作指示部２８７により生成された操作制御信号はショックガードメモリ２９１に出力される。
【００３３】
ＡＶ処理回路２９は、復調回路２７により生成された再生データを一旦蓄積するショックガードメモリ２９１を有し、ショックガードメモリ２９１に蓄積された再生データを処理して映像情報および音声情報を取得するものである。ショックガードメモリ２９１は、ショックガードメモリ操作指示部２８７により生成された操作制御信号に従い、再生データを蓄積する。このＡＶ処理回路２９により取得された映像情報および音声情報は不図示の表示装置およびスピーカから出力される。
また、ＡＶ処理回路２９は、コントローラ２８による制御に従って、適宜、所定の画面あるいは音声を出力するための情報を生成して表示装置あるいはスピーカから出力する。
【００３４】
なお、この光ディスク装置２０では、光ピックアップ２１、信号生成回路２２、復調回路２７およびＡＶ処理回路２９によりデータ読み取り手段を構成している。また、信号検出部２８１、サーボ指示部２８４およびレーザ切替え指示部２８５によりディスク判定手段を構成し、デコード切替え指示部２８２、サーボ指示部２８４、レーザ切替え指示部２８５、サブ情報処理部２８６およびショックガードメモリ操作指示部２８７により切替え手段を構成している。また、読み取り状態判定部２８３により読み取り状態判定手段を構成し、サブ情報処理部２８６および読み取り状態判定部２８３により悪化範囲特定手段を構成し、サブ情報処理部２８６により読み取り範囲判定手段を構成している。
【００３５】
次に、上記のように構成された光ディスク装置２０の動作を説明する。
光ディスク装置２０の動作では、図３に示すように、ディスクが光ディスク装置２０に挿入されてターンテーブル３０に載置されると、まず、ディスク判定手段は、このディスクがＢＤ／ＤＶＤハイブリッドディスク１０であるかを判定する（ステップＳＴ３１）。すわなち、レーザ切替え指示部２８５は、レーザ駆動回路２６を介して半導体レーザ２１１から青色レーザ光あるいは赤色レーザ光をディスクに対して出射させ、サーボ指示部２８４は、サーボ回路２３および対物レンズアクチュエータ２１４を介して対物レンズ２１３をディスクに近づけるように駆動させる。次いで、信号検出部２８１は、光検出器２１５および信号生成回路２２を介して生成されたフォーカスエラー信号の波形に基づいて、ターンテーブル３０に載置されたディスクがＢＤ／ＤＶＤハイブリッドディスク１０であるか通常のディスクであるかを判定する。
【００３６】
このステップＳＴ３１において、ディスク判定手段が、ディスクはＢＤ／ＤＶＤハイブリッドディスク１０ではないと判定した場合には、次いで、切替え手段は、データ読み取り手段を制御してディスクを通常通り再生させる（ステップＳＴ３２）。すなわち、デコード切替え指示部２８２は、信号検出部２８１によりディスクがＢＤであると判定された場合にはＢＤデコーダ２７１を用いてコンテンツを再生させ、信号検出部２８１によりディスクがＤＶＤであると判定された場合にはＤＶＤデコーダ２７２を用いてコンテンツを再生させる。
【００３７】
一方、ステップＳＴ３１において、ディスク判定手段が、このディスクはＢＤ／ＤＶＤハイブリッドディスク１０であると判定した場合には、次いで、切替え手段は、データ読み取り手段を制御して、このディスクのＢＤ層１２に記録されたデータを読み取らせ、コンテンツを再生させる（ステップＳＴ３３，３４）。すなわち、レーザ切替え指示部２８５は、レーザ駆動回路２６を介して半導体レーザ２１１から青色レーザ光をディスクに対して出射させ、サーボ指示部２８４はＢＤ再生用のサーボ設定を行いサーボ回路２３を制御する。次いで、デコード切替え指示部２８２は、ＢＤデコーダ２７１によるデコードを選択する。次いで、サブ情報処理部２８６は、光検出器２１５およびＢＤデコーダ２７１を介して生成されたリードイン情報を解析することによって、ディスクの再生開始箇所を特定する。次いで、ＢＤデコーダ２７１は、サブ情報処理部２８６によって特定された再生開始箇所からデコードを開始する。次いで、ショックガードメモリ操作指示部２８７は、ＢＤデコーダ２７１により生成された再生データをショックガードメモリ２９１に蓄積させる。そして、ショックガードメモリ２９１にある程度再生データが蓄積された段階で、ＡＶ処理回路２９により再生データを処理させて映像情報および音声情報を表示装置およびスピーカから出力させる。
これによりＢＤ／ＤＶＤハイブリッドディスク１０のＢＤ層１２に記録されたデータの読み取りを行うことができ、コンテンツを再生することができる。
【００３８】
なお、ショックガードメモリ操作指示部２８７は、ショックガードメモリ２９１への再生データの蓄積量が蓄積容量に達した場合には再生データの蓄積を中断し、ある程度空きができた場合に再生データの蓄積を再開するという通常のショックガードメモリ動作を行わせる。
【００３９】
次いで、読み取り状態判定手段は、データ読み取り手段がＢＤ層１２でのデータの読み取りを行っている際に、このデータの読み取り状態が良好であるかを判定する（ステップＳＴ３５）。すなわち、読み取り状態判定部２８３は、復調回路２７によるデコードエラー情報に基づいて、ＢＤ層１２でのデータの読み取り状態が良好であるかを判定する。
このステップＳＴ３４において、読み取り状態判定手段は、ＢＤ層１２でのデータの読み取り状態は良好であると判定した場合には、シーケンスはステップＳＴ３４に戻り、データ読み取り手段はＢＤ層１２でのデータの読み取りを継続する。
【００４０】
一方、ステップＳＴ３５において、読み取り状態判定手段は、ＢＤ層１２でのデータの読み取り状態が良好ではないと判定した場合には、次いで、ショックガードメモリ操作指示部２８７はショックガードメモリ２９１への再生データの蓄積を中断させて、悪化範囲特定手段は、読み取り状態の悪化範囲を探索する（ステップＳＴ３６）。すなわち、サブ情報処理部２８６は、まず、読み取り状態判定部２８３によりＢＤ層１２でのデータの読み取り状態が悪化したと判定された際のデータの記録位置を第１のデータ位置として記憶する。次いで、読み取り状態判定部２８３は、ＢＤ層１２でのデータの読み取り状態が良好状態に復帰するまで、順次、読み取り状態判定処理を行う。次いで、サブ情報処理部２８６は、読み取り状態判定部２８３によりＢＤ層１２でのデータの読み取り状態が良好状態に復帰したと判定された際のデータの記録位置を第２のデータ位置として記憶する。この第１，２のデータ位置によりＢＤ層１２でのデータ読み取り状態の悪化範囲が特定される。また、サブ情報処理部１８６は、この悪化範囲の前後のデータから、悪化範囲の再生時間情報も特定して記憶する。
【００４１】
なお、悪化範囲特定手段によるデータ読み取り状態の悪化範囲の探索を行っている間は、ＡＶ処理回路２９はショックガードメモリ２９１に蓄積された再生データを用いてコンテンツの再生を行う。
【００４２】
次いで、切替え手段は、データ読み取り手段を制御して、ＤＶＤ層１４に記録されたデータを読み取らせ、コンテンツを再生させる（ステップＳＴ３７，３８）。すなわち、レーザ切替え指示部２８５は、レーザ駆動回路２６を介して半導体レーザ２１１から赤色レーザ光をディスクに対して出射させ、サーボ指示部２８４はＤＶＤ再生用のサーボ設定を行いサーボ回路２３を制御する。次いで、デコード切替え指示部２８２は、ＤＶＤデコーダ２７２によるデコードを選択する。次いで、サブ情報処理部２８６は、光検出器２１５およびＤＶＤデコーダ２７２を介して生成されたリードイン情報を解析し、記憶した悪化範囲の再生時間情報に基づいて、この悪化範囲に対応するＤＶＤ層１２での再生開始箇所を特定する。次いで、ＤＶＤデコーダ２７２は、サブ情報処理部２８６によって特定された再生開始箇所からデコードを開始する。次いで、ショックガードメモリ操作指示部２８７は、ＤＶＤデコーダ２７２により生成された再生データをショックガードメモリ２９１に蓄積させ、ＡＶ処理回路２９により再生データを処理させて映像情報および音声情報を表示装置およびスピーカから出力させる。
これによりＢＤ／ＤＶＤハイブリッドディスク１０のＢＤ層１２でのデータ読み取り状態の悪化範囲に該当するデータをＤＶＤ層１４に記録されたデータで置き換えて再生することができる。
【００４３】
次いで、読み取り範囲判定手段は、データ読み取り手段がＤＶＤ層１４でのデータの読み取りを行っている際に、このＤＶＤ層１４で読み取られたデータの範囲がＢＤ層１２でのデータ読み取り状態の悪化範囲内であるかを判定する（ステップＳＴ３９）。すなわち、サブ情報処理部２８６は、再生開始箇所であるデータの記録位置から現時点で読み取りを行っているデータの記録位置までのデータ読み取り範囲が、悪化範囲内であるかを判定する。
このステップＳＴ３９において、サブ情報処理部２８６は、ＤＶＤ層１４でのデータ読み取り範囲がＢＤ層１２でのデータ読み取り状態の悪化範囲内であると判定した場合には、シーケンスはステップＳＴ３８に戻り、データ読み取り手段はＤＶＤ層１４でのデータの読み取りを継続する。
【００４４】
一方、ステップＳＴ３９において、サブ情報処理部２８６は、ＤＶＤ層１４でのデータ読み取り範囲がＢＤ層１２でのデータ読み取り状態の悪化範囲を越えていると判定した場合には、次いで、切替え手段は、データ読み取り手段を制御してＢＤ層１２でのコンテンツの再生に移行させる。なお、ＢＤ層１２でのコンテンツの再生に移行させた際に、データの読み取りを行う再生開始箇所は、サブ情報処理部２８６に記憶された第２のデータ位置である。
【００４５】
以上のように、この実施の形態１によれば、光ディスク装置２０を用いてＢＤ／ＤＶＤハイブリッドディスク１０を再生した際に、ＢＤ層１２でのデータの読み取り状態が悪化した場合に、自動的にＤＶＤ層１４に移行して、ＢＤ層１２のデータ読み取り状態の悪化範囲に該当するデータをＤＶＤ層１４に記録されたデータで置き換えて再生するように構成したので、絵飛び／音飛びの発生や、再生不能となることはなく、続きを再生することができ、映像再生不良によるユーザクレームを非常に低くすることができる。
【００４６】
また、従来の同一のコンテンツが記録されたＢＤ／ＤＶＤハイブリッドディスク１０では、ＢＤ層１２とＤＶＤ層１４の同一再生時間のデータの記録位置は、同一箇所（ディスク上の同一半径位置）である場合が多い。このディスク上に傷や汚れが付きＢＤ層１２でのデータの読み取り状態が悪化した場合には、ＤＶＤ層１４でのデータの読み取り状態も悪化し、ＤＶＤ層１４においてもコンテンツの再生を行うことができない可能性がある。しかしながら、このＢＤ／ＤＶＤハイブリッドディスク１０を、ＢＤ層１４はディスク内周からデータの記録を行い、ＤＶＤ層１４はディスク外周からデータの記録を行うように構成したので、ディスク上に傷や汚れが付きＢＤ層１２でのデータの読み取り状態が悪化した場合にも、データの記録位置が異なるため、ＤＶＤ層１４でコンテンツの再生を行うことができ、双方の記録層で同一再生時間のデータの読み取りが悪化することを避けることができ、傷や汚れに対する影響を低減させることができる。
【００４７】
なお、この実施の形態１では、ＢＤ／ＤＶＤハイブリッドディスク１０を、ＢＤ層１２はディスク内周からデータの記録を行い、ＤＶＤ層１４はディスク外周からデータの記録を行うように構成したが、これに限るものではなく、ＢＤ層１２とＤＶＤ層１４でのデータの記録位置をずらしていればよく、例えば、ＢＤ層１２はディスクの内周から外周に再生時間通り収録し、ＤＶＤ層１４では、再生時間の前半部分をディスク半径の半分より外周側に収録し、後半部分を内周側に収録するように構成してもよい。
【００４８】
また、この実施の形態１では、ハイブリッドディスクとして、ＢＤ／ＤＶＤハイブリッドディスク１０を用いた場合について示したが、これに限るものではなく、光ディスク装置２０がハイブリッドディスクであることを認識することができるものであればよく、例えば、ＢＤ／ＣＤハイブリッドディスクやＤＶＤ／ＣＤハイブリッドディスクに対しても同様に適用可能である。
【００４９】
また、この実施の形態１では、ＢＤ／ＤＶＤハイブリッドディスク１０のＢＤ層１２とＤＶＤ層１４とに同一のコンテンツが記録された場合について示したが、ＢＤ層１２とＤＶＤ層１４とで異なるコンテンツが記録されていてもよい。なお、このＢＤ／ＤＶＤハイブリッドディスク１０を光ディスク装置２０によって再生した場合に、ＢＤ層１２でのデータの読み取り状態が悪化してＤＶＤ層１４へ移行した際には、ＤＶＤ層１４に記録されたコンテンツを最初から再生する。
このように構成することによって、ＢＤ層１２とＤＶＤ層１４とが異なるコンテンツを記録している場合においても、続き再生を行うことはできないが、再生停止をすることなくＤＶＤ層１４に記録されたコンテンツを先頭から再生することによって、ユーザクレームを低減させることが可能となる。
【００５０】
また、この実施の形態１では、ＢＤ層１２に記録されたデータの読み取り状態が悪化した場合に、自動的にＤＶＤ層１４に記録されたデータへの移行を行うように構成したが、ＤＶＤ再生に移行した場合にはＢＤ再生の場合に対して画質が劣ることになる。そこで、ＢＤ層１２でのデータの読み取り状態が悪化した際に、ユーザにＤＶＤ層１４へ移行するか否かを表示装置を介して確認するユーザ確認手段を追加して構成してもよい。この場合、切替え手段は、読み取り状態判定手段によりＢＤ層１２でのデータの読み取り状態が悪化していると判定され、ユーザ確認手段によりＤＶＤ層１４への移行が許可された場合には、データ読み取り手段を制御してＤＶＤ層１４でのデータの読み取りを行わせる。なお、ユーザがＤＶＤ層１４への移行を拒否した場合には、ＢＤ層１４に記録されたデータの読み取り状態悪化範囲を飛ばして再生を行うか、あるいは再生を停止する。
【符号の説明】
【００５１】
１０  ＢＤ／ＤＶＤハイブリッドディスク、１１，１３，１５  基板、１２  ＢＤ層、１４  ＤＶＤ層、１６  印刷層、２０  光ディスク装置、２１  光ピックアップ、２２  信号生成回路、２３  サーボ回路、２４  スピンドルモータ、２５  スレッドモータ、２６  レーザ駆動回路、２７  復調回路、２８  コントローラ、２９  ＡＶ処理回路、３０  ターンテーブル、２１１  半導体レーザ、２１２  光学系、２１３  対物レンズ、２１４  対物レンズアクチュエータ、２１５  光検出器、２７１  ＢＤデコーダ、２７２  ＤＶＤデコーダ、２８１  信号検出部、２８２  デコード切替え指示部、２８３  読み取り状態判定部、２８４  サーボ指示部、２８５  レーザ切替え指示部、２８６  サブ情報処理部、２８７  ショックガードメモリ操作指示部、２９１  ショックガードメモリ。
【図１】
2011238302.tif 000003
【図２】
2011238302.tif 000004
【図３】
2011238302.tif 000005